(57)【要約】【課題】フロントパネルとアウトレットグリルのずれによる隙間を生じさせない室内ユニット及びその室内ユニットを備えた空気調和機を提供すること。【解決手段】吸込口から室内気を吸い込みかつ吹出口から吹出すためのファンと、前記室内気と室外ユニットから供給された冷媒との間で熱交換を行う室内熱交換器と、各種電気回路素子よりなる室内ユニット制御部とを備え、前面に位置するフロントパネル２の端部２ａに設けられるフロントパネル接合部１１と、内部下方かつ前記フロントパネル２の後方に位置するアウトレットグリル３の端部３ａに設けられ、前記フロントパネル接合部１１と係合されるアウトレットグリル接合部１２とを備えてなる室内ユニットにおいて、フロントパネル接合部１１およびアウトレットグリル接合部１２に突出部１１ａ、１２ａを設けて係合させることを特徴とする。【選択図】　　図１
2004076996.tif 000002
【特許請求の範囲】
【請求項１】
吸込口から室内気を吸い込みかつ吹出口から吹出すためのファンと、前記室内気と室外ユニットから供給された冷媒との間で熱交換を行う室内熱交換器と、前面に位置するフロントパネルの端部に設けられるフロントパネル接合部と、内部下方かつ前記フロントパネルの後方に位置するアウトレットグリルの端部に設けられ、前記フロントパネル接合部と係合されるアウトレットグリル接合部とを備えてなる室内ユニットにおいて、
前記フロントパネル接合部および前記アウトレットグリル接合部に突出部を設けて係合させることを特徴とする室内ユニット。
【請求項２】
請求項１記載の室内ユニットにおいて、
前記突出部が、前記フロントパネル接合部および前記アウトレットグリル接合部のそれぞれに上下互い違いに配置して形成されることを特徴とする室内ユニット。
【請求項３】
請求項２記載の室内ユニットにおいて、
前記アウトレットグリル接合部の上面あるいは下面に、前記フロントパネル接合部を係止する補剛材が、前記上面あるいは前記下面と交差する方向に突出して設けられることを特徴とする室内ユニット。
【請求項４】
請求項１記載の室内ユニットにおいて、
前記フロントパネル接合部の中央に前記突出部が設けられ、前記アウトレットグリル接合部の中央に、前記嵌合部が前記突出部と嵌合するように設けられることを特徴とする室内ユニット。
【請求項５】
請求項４記載の室内ユニットにおいて、
前記突出部と前記嵌合部の先端に面取りがなされていることを特徴とする室内ユニット。
【請求項６】
吸込口から室内気を吸い込みかつ吹出口から吹出すためのファンと、前記室内気と室外ユニットから供給された冷媒との間で熱交換を行う室内熱交換器と、前面に位置するフロントパネルの端部に設けられるフロントパネル接合部と、内部下方かつ前記フロントパネルの後方に位置するアウトレットグリルの端部に設けられ、前記フロントパネル接合部と係合されるアウトレットグリル接合部と、請求項１から５のいずれかに記載の室内ユニットとを備えてなることを特徴とする空気調和機。
【発明の詳細な説明】
【０００１】
【発明の属する技術分野】
この発明は、前面に位置するフロントパネルと、内部下方かつフロントパネルの後方に位置するアウトレットグリルが接合されるパネル接合部を具備した室内ユニット、及びその室内ユニットと室外ユニットとを具備した空気調和機に関する。
【０００２】
【従来の技術】
一般に、従来の空気調和機は、室外熱交換器と、室外熱交換器又は室内熱交換器に高温高圧の気体冷媒を送出する圧縮機と、各種電気回路素子よりなる室外ユニット制御部とを具備してなる室外ユニットと、吸込口から室内気を吸い込みかつ吹出口から吹出すためのファンと、前記室内気と室外ユニットから供給された冷媒との間で熱交換を行う室内熱交換器と、各種電気回路素子よりなる室内ユニット制御部とを備え、さらには、前面に位置するフロントパネルの端部に設けられたフロントパネル接合部と、内部下方かつ前記フロントパネルの後方に位置するアウトレットグリルの端部に設けられたアウトレットグリル接合部とを具備してなる室内ユニットとを備えて構成されている。
その室内ユニットに設けられるフロントパネル接合部及びアウトレットグリル接合部においては、例えば、その両方を突き合わせ、その端部に取付けられたフックによって引っ掛けて係合する構造が採用されている。
【０００３】
図３は、従来の室内ユニットを示す図であり、（ａ）はその断面図、（ｂ）はその部分拡大図である。
図３において、室内ユニット１は、前面に位置するフロントパネル２に設けられた吸込口６から室内気を吸い込みかつ吹出口７から吹出すためのファン８と、室内気と室外ユニット（図示せず）から供給された冷媒との間で熱交換を行う室内熱交換器９と、各種電気回路素子よりなる室内ユニット制御部（図示せず）とを備えて構成されている。
【０００４】
室内ユニット１の前面には、フロントパネル２が配置され、その端部２ａには、フロントパネル接合部３１が設けられている。また、フロントパネル２の後方において、室内ユニット１の内部下方にアウトレットグリル３が配置され、その端部３ａには、アウトレットグリル接合部３２が設けられている。ここで、フロントパネル接合部３１およびアウトレットグリル接合部３２は、図３（ｂ）に示したように、双方とも板厚方向に沿った平滑な面からなる。
また、フロントパネル２の下方には、ルーバ４およびフラップ５が設けられている。
【０００５】
フロントパネル２は、室内ユニット１の内部の点検あるいは調査を行うために、開閉できるようになっている。
また、フロントパネル２を閉じる際、その端部２ａが室内ユニット１の内部で固定されているアウトレットグリル３の端部３ａに接して、フロントパネル接合部３１がアウトレットグリル接合部３２と接合されるようになっている。
【０００６】
【発明が解決しようとする課題】
ところで、上記従来の室内ユニット１においては、フロントパネル接合部３１がアウトレットグリル接合部３２に接合される際、平滑な面が対向する状態で位置決めされることになるので、端部２ａと端部３ａを揃えることが難しいのが実情であった。そして、フロントパネル２とアウトレットグリル３とのずれが生じていた場合、フロントパネル接合部３１がアウトレットグリル接合部３２より上側にずれて接合され、そのずれによって隙間が生じるとともに、その隙間が外観を悪くするという問題があった。また、その隙間には、ルーバ４およびフラップ５によって風向が調整された冷風が入り込んで、前面側の熱交換器９の下方に設けられるドレインを形成するアウトレットグリル３の壁面近傍や、フロントパネル２の内部に結露が生じるという問題があった。
【０００７】
この発明は、このような事情を考慮してなされたもので、フロントパネルとアウトレットグリルのずれによる隙間を生じさせない室内ユニット及びその室内ユニットを備えた空気調和機を提供することを目的とする。
【０００８】
【課題を解決するための手段】
この発明は、上記課題を解決するため、以下の手段を採用する。
請求項１に係る発明は、吸込口から室内気を吸い込みかつ吹出口から吹出すためのファンと、前記室内気と室外ユニットから供給された冷媒との間で熱交換を行う室内熱交換器と、前面に位置するフロントパネルの端部に設けられるフロントパネル接合部と、内部下方かつ前記フロントパネルの後方に位置するアウトレットグリルの端部に設けられ、前記フロントパネル接合部と係合されるアウトレットグリル接合部とを備えてなる室内ユニットにおいて、前記フロントパネル接合部および前記アウトレットグリル接合部に突出部を設けて係合させることを特徴とする。
【０００９】
この発明によれば、フロントパネル接合部およびアウトレットグリル接合部に突出部を設けて係合させることにより、フロントパネル接合部およびアウトレットグリル接合部が、係合される際に生じるずれによる隙間を回避して係合されることとなる。
【００１０】
請求項２に係る発明は、請求項１記載の室内ユニットにおいて、前記突出部が、前記フロントパネル接合部および前記アウトレットグリル接合部のそれぞれに上下互い違いに配置して形成されることを特徴とする。
【００１１】
この発明によれば、突出部がフロントパネル接合部およびアウトレットグリル接合部のそれぞれに上下互い違いに配置して形成されることにより、それぞれの突出部が上下に重なるように係合されるため、係合される際に生じるずれによる隙間を回避して係合されることとなる。
【００１２】
請求項３に係る発明は、請求項２記載の室内ユニットにおいて、前記アウトレットグリル接合部の上面あるいは下面に、前記フロントパネル接合部を係止する補剛材が、前記上面あるいは前記下面と交差する方向に突出して設けられることを特徴とする。
【００１３】
この発明によれば、アウトレットグリル接合部の上面あるいは下面に補剛材が設けられることにより、フロントパネル接合部のずれがその補剛材によって防止されるため、係合される際に生じるずれによる隙間を回避して係合されることとなる。
【００１４】
請求項４に係る発明は、請求項１記載の室内ユニットにおいて、前記フロントパネル接合部の中央に前記突出部が設けられ、前記アウトレットグリル接合部の中央に、前記嵌合部が前記突出部と嵌合するように設けられることを特徴とする。
【００１５】
この発明によれば、フロントパネル接合部の中央に設けられた突出部とアウトレットグリル接合部の中央に設けられた嵌合部が嵌合するように係合されることにより、接合部のずれがその突出部と嵌合部の嵌合によって押さえられるため、係合される際に生じるずれによる隙間を回避して係合されることとなる。
【００１６】
請求項５に係る発明は、請求項４記載の室内ユニットにおいて、前記突出部と前記嵌合部の先端に面取りがなされていることを特徴とする。
【００１７】
この発明によれば、嵌合部と突出部の先端に面取りがなされていることにより、接合部が容易に嵌合されることとなる。
【００１８】
請求項６に係る発明は、吸込口から室内気を吸い込みかつ吹出口から吹出すためのファンと、前記室内気と室外ユニットから供給された冷媒との間で熱交換を行う室内熱交換器と、前面に位置するフロントパネルの端部に設けられるフロントパネル接合部と、内部下方かつ前記フロントパネルの後方に位置するアウトレットグリルの端部に設けられ、前記フロントパネル接合部と係合されるアウトレットグリル接合部と、請求項１から５のいずれかに記載の室内ユニットとを備えてなることを特徴とする空気調和機である。
【００１９】
この発明によれば、空気調和機が、パネル接合部のずれによる隙間を回避して係合される室内ユニットを備えることとなる。
【００２０】
【発明の実施の形態】
以下、この発明の実施の形態について、図面を参照して説明する。
図１は、この発明における第１の実施の形態を示す図であって、この発明を適用した空気調和機に備えられた室内ユニットを示す図であり、（ａ）はその断面図、（ｂ）はその部分拡大図を示す。
また、従来の技術と同一の構成要素については、同一の符号を付して説明を省略する。
【００２１】
図１に示したように、室内ユニット１は、前面に位置するフロントパネル２に設けられた吸込口６から室内気を吸い込みかつ吹出口７から吹出すためのファン８と、室内気と室外ユニット（図示せず）から供給された冷媒との間で熱交換を行う室内熱交換器９と、各種電気回路素子よりなる室内ユニット制御部（図示せず）とを備えて構成されている。
【００２２】
室内ユニット１の前面には、フロントパネル２が配置され、その端部２ａには、フロントパネル接合部１１が設けられている。また、フロントパネル２の後方において、室内ユニット１の内部下方にアウトレットグリル３が配置され、その端部３ａには、アウトレットグリル接合部１２が設けられている。
フロントパネル２は、室内ユニット１の内部を点検、清掃あるいは調査を行うために、開閉できるようになっている。
【００２３】
図１（ｂ）に示したように、フロントパネル接合部１１には、その先端部の上側に、板厚の略半分の厚さを以って、フロントパネル接合部１１の内面（ドレイン、熱交換器９側面）に沿って突出し、外面側に縦断面でみると段差がつくように突出部１１ａが形成されている。
対して、アウトレットグリル接合部１２には、その先端部の下側に、板厚の略半分の厚さを以って、アウトレットグリル接合部１２の外面（吹出空気流路側面）に沿って突出し、縦断面でみると突出部１１ａの段差に応じたかたちで段差がつくように突出部１２ａが形成されている。
具体的には、突出部１１ａ、１２ａは、突出部１１ａを上側とし、突出部１２ａを下側として、接合時に噛合い対向方向（図中水平方向）への摺動を規制するように上下互い違いに配置されて係合されており、その接触面１１ｂ、１２ｂには、勾配が形成されている。
【００２４】
アウトレットグリル接合部１２の上面には、補剛材１３が上方向に突出して複数設けられている。
補剛材１３は、フロントパネル接合部１１の突出部１１ａの上面を係止するように、端部１３ａが突出して形成されている。これにより、局所的に補強材１３の端部１３ａとアウトレットグリル接合部１２の突出部１２ａとがフロントパネル接合部１１の突出部１１ａを挟持する構成となる。
【００２５】
次に、上記の構成からなる室内ユニットの作用について説明する。
フロントパネル２を閉じる際、その端部２ａが室内ユニット１の内部で固定されているアウトレットグリル３の端部３ａに接して、フロントパネル接合部１１がアウトレットグリル接合部１２と係合される。なお、係合に際して、対向する突出部１１ａと突出部１２ａの基部に形成された段差部、もしくは突出部１１ａの基部に形成された段差部と突出部１２ａとが、位置決めのガイドとしての機能を果たす。
この場合、突出部１１ａ、１２ａが重なり合うように係合され、突出部１１ａが端部１３ａによって上面が係止されることにより、フロントパネル接合部１１とアウトレットグリル接合部１２とのずれが押さえられるとともに、そのずれによる隙間が回避される。
【００２６】
上記の構成によれば、ずれによる隙間が回避されるので、隙間による外観上の問題を解消することができる。また、その隙間に入り込む冷風を防止することができるので、フロントパネル２の内部に生じる結露を防止することができる。
加えて、熱交換器９において熱交換された室内気を吹出す吹出口７に至る吹出空気流路における上流側の壁面を形成するアウトレットグリル３の吹出空気流路側面を突出させるように突出部１２ａを形成することにより、仮に突出部１２ａと突出部１２ｂとの間に経年劣化などで間隙が生じたとしても、その間隙を通って熱交換により生成された冷風がフロントパネル２の内部に入り込むには、吹出し方向に逆らうように流れが形成されなければならない構成とすることができる。これにより、仮に多少の間隙が生じても、内部への冷風の入り込みを効果的に抑制することができる。
【００２７】
図２は、この発明における第２の実施の形態を示す図であって、この発明を適用した空気調和機に備えられた室内ユニットを示す図である。
図２においては、上記第１の実施の形態における図１と同一構成要素には同一符号を付し、その説明を省略する。
【００２８】
図２において、フロントパネル２の端部２ａには、フロントパネル接合部２１が設けられている。また、アウトレットグリル３の端部３ａには、アウトレットグリル接合部２２が設けられている。
フロントパネル接合部２１には、その先端部の中央に、板厚の略半分の厚さを以って、突出部２１ａが形成されている。
アウトレットグリル接合部２２には、その先端部の中央に、板厚の略半分の厚さを以って、嵌合部２２ａが形成されている。
これにより、先に述べた実施形態における補強材１３の端部１３ａを設けることなく、とアウトレットグリル接合部２２の突出部２１ａが挟持される構成となる。
具体的には、突出部２１ａは、嵌合部２２ａに嵌合されるように形成されており、対向し接触する突出部２１ａの接触面２１ｂと、嵌合部２２ａの接触面２２ｂには、勾配が形成されている。また、突出部２１ａの端部２１ｃ及び嵌合部２２ａの端部２２ｃには、面取りがなされている。
【００２９】
次に、上記の構成からなる室内ユニットの作用について説明する。
フロントパネル２は、室内ユニット１の内部を点検、清掃あるいは調査を行うために、開閉できるようになっている。
フロントパネル２を閉じる際、その端部２ａが室内ユニット１の内部で固定されているアウトレットグリル３の端部３ａに接して、フロントパネル接合部２１がアウトレットグリル接合部２２と係合される。
この場合、突出部２１ａ、嵌合部２２ａが嵌合するように係合されることにより、位置決めガイドと摺動規制手段の両機能が実現され、フロントパネル接合部２１とアウトレットグリル接合部２２とのずれが押さえられるとともに、ずれによる隙間が回避される。
また、端部２１ｃ及び端部２２ｃに面取りがなされていることにより、フロントパネル接合部２１とアウトレットグリル接合部２２が円滑に嵌合されることとなる。
【００３０】
このように、この第２の実施の形態においても、ずれによる隙間が回避されるので、上記第１の実施の形態と同様の効果を得ることができる。
加えて、熱交換器９において熱交換された室内気を吹出す吹出口７に至る吹出空気流路における上流側の壁面を形成するアウトレットグリル３の吹出空気流路側面を突出させる形状の凹部を持つ嵌合部２２ａを形成することにより、仮に突出部２１ａと嵌合部２２ａとの間に経年劣化などで間隙が生じたとしても、その間隙を通って熱交換により生成された冷風がフロントパネル２の内部に入り込むには、先に述べた実施形態と同様に、吹出し方向に逆らうように流れが形成されなければならない構成とすることができる。
さらには、突出部２１ａと嵌合部２２ａとが交互に噛合うラビリンス構造をなすので、仮に多少の間隙が生じても、内部への冷風の入り込みがより困難になる。
【００３１】
なお、上記の実施の形態においては、アウトレットグリル３の板厚が端部３ａにおいて急激に厚くなる場合、その成形時にその板厚が変形して細くなる現象、すなわち、ひけを防止するために、中空成形によって成形してもよい。
【００３２】
また、第１の実施の形態においては、図１における突出部１１ａ、１２ａの上下の配置が逆とされてもよい。上下の配置が逆とされたことにより、フロントパネル接合部の突出部が下側に配置されるため、フロントパネル接合部とアウトレットグリル接合部との接合部分に生じる境界線が、第１の実施の形態において生じる境界線の位置と比較して、フロントパネルの前面より離れた位置に形成されることによって、室内ユニットの吹出口近傍の外観をよくすることとなる。
【００３３】
また、第２の実施の形態においては、フロントパネル接合部２１に嵌合部が形成され、アウトレットグリル接合部２２に突出部が形成されてもよい。嵌合部と突出部の配置が逆とされたことにより、嵌合部が下側に配置されるため、フロントパネル接合部とアウトレットグリル接合部との接合部分に生じる境界線が、第２の実施の形態において生じる境界線の位置と比較して、フロントパネルの前面より離れた位置に形成されることによって、室内ユニットの吹出口近傍の外観をよくすることとなる。
【００３４】
【発明の効果】
以上説明したこの発明のパネル接合部においては、以下の効果を奏する。
請求項１に係る発明によれば、フロントパネル接合部およびアウトレットグリル接合部に突出部を設けて係合させることにより、フロントパネル接合部およびアウトレットグリル接合部が、係合される際に生じるずれによる隙間を回避して係合されることとなるので、外観上の問題を解消することができ、また、その隙間に冷風が入り込み、フロントパネルの内部に生じる結露を防止することができる。
【００３５】
請求項２に係る発明によれば、突出部がフロントパネル接合部およびアウトレットグリル接合部のそれぞれに上下互い違いに配置して形成されることにより、それぞれの突出部が上下に重なるように係合されるため、係合される際に生じるずれによる隙間を回避して係合されることとなるので、外観上の問題を解消することができ、また、その隙間に冷風が入り込み、フロントパネルの内部に生じる結露を防止することができる。
【００３６】
請求項３に係る発明によれば、アウトレットグリル接合部の上面あるいは下面に補剛材が設けられることにより、フロントパネル接合部のずれがその補剛材によって防止されるため、係合される際に生じるずれによる隙間を回避して係合されることとなるので、外観上の問題を解消することができ、また、その隙間に冷風が入り込み、フロントパネルの内部に生じる結露を防止することができる。
【００３７】
請求項４に係る発明によれば、フロントパネル接合部の中央に設けられた突出部とアウトレットグリル接合部の中央に設けられた嵌合部が嵌合するように係合されることにより、接合部のずれがその突出部と嵌合部の嵌合によって押さえられるため、係合される際に生じるずれによる隙間を回避して係合されることとなるので、外観上の問題を解消することができ、また、その隙間に冷風が入り込み、フロントパネルの内部に生じる結露を防止することができる。
【００３８】
請求項５に係る発明によれば、嵌合部と突出部の先端に面取りがなされていることにより、接合部が容易に嵌合されることとなるので、ずれによる隙間を生じることなく接合されることとなって、外観上の問題を解消することができ、また、その隙間に冷風が入り込み、フロントパネルの内部に生じる結露を防止することができる。
【００３９】
請求項６に係る発明によれば、空気調和機が、パネル接合部のずれによる隙間を回避して係合される室内ユニットを備えることとなるので、外観上の問題を解消し、また、その隙間に冷風が入り込み、フロントパネルの内部に生じる結露を防止する室内ユニットを備えた空気調和機を提供することができる。
【図面の簡単な説明】
【図１】この発明における第１の実施の形態に係る室内ユニットを示す図であって、（ａ）はその断面図、（ｂ）はその部分拡大図である。
【図２】この発明における第２の実施の形態に係る室内ユニットを示す図であって、（ａ）はその断面図、（ｂ）、（ｃ）はその部分拡大図である。
【図３】従来の室内ユニットを示す図であって、（ａ）はその断面図、（ｂ）はその部分拡大図である。
【符号の説明】
１　室内ユニット
２　フロントパネル
３　アウトレットグリル
１１、２１、３１　フロントパネル接合部
１２、２２、３２　アウトレットグリル接合部
１３　補剛材
【図１】
2004076996.tif 000003
【図２】
2004076996.tif 000004
【図３】
2004076996.tif 000005